(57)【要約】【課題】パネルを断熱縁材に対して自立した構造として、断熱縁材の歪み変形等がパネルに影響を及ぼすおそれをなくすことができる断熱窓およびカーテンウォールを提供すること。【解決手段】内窓は、パネル３０と、パネル下受け部４０と、パネル上受け部５０とを有している。パネル下受け部４０およびパネル上受け部５０は、パネル３０の面外方向においてパネル３０を受ける見付け片部４２，４３，５２，５３を有している。パネル下受け部４０は、パネル３０の左右一方の縦側面３５および下面が交わる第一隅部３０Ａにおいて当該パネル３０の下面を受ける下片部４４と、第一隅部３０Ａにおいて左右一方の縦側面３５を受ける側片部４５とを更に有している。パネル上受け部５０は、パネル３０の左右他方の縦側面３６および上面が交わる第二隅部３０Ｂにおいて縦側面３６を受ける側片部５５を更に有している。パネル３０の周縁部に沿って断熱縁材が配置されている。【選択図】図５
2019044337.tif 000002
【特許請求の範囲】
【請求項１】
パネルと、前記パネルの下部に配置されたパネル下受け部と、前記パネルの上部に配置されたパネル上受け部とを有しており、
前記パネル下受け部および前記パネル上受け部は、前記パネルの面外方向において前記パネルを受ける見付け片部を有しており、
前記パネル下受け部は、前記パネルの左右一方の縦側面および下面が交わる第一隅部において当該パネルの下面を受ける下片部と、前記第一隅部において前記左右一方の縦側面を受ける側片部とを更に有しており、
前記パネル上受け部は、前記パネルの左右他方の縦側面および上面が交わる第二隅部において前記左右他方の縦側面を受ける側片部を更に有しており、
前記パネルの周縁部に沿って断熱縁材が配置されている
ことを特徴とする断熱窓。
【請求項２】
請求項１に記載の断熱窓において、
前記パネル下受け部は、前記パネルの前記第一隅部から左右他方の前記縦側面および下面が交わる第三隅部まで延びた下固定部材と、前記第一隅部および前記第三隅部において前記下固定部材をそれぞれ支える左右の下支え部材とによって構成されており、
前記下固定部材は、前記パネル下受け部における前記見付け片部、前記下片部および前記側片部を有しており、
前記パネル上受け部は、前記パネルの前記第二隅部から左右一方の前記縦側面および上面が交わる第四隅部まで延びた上固定部材と、前記第二隅部および前記第四隅部において前記上固定部材をそれぞれ支える左右の上支え部材とによって構成されており、
前記上固定部材は、前記パネル上受け部における前記見付け片部および前記側片部を有している
ことを特徴とする断熱窓。
【請求項３】
請求項１に記載の断熱窓において、
前記パネル下受け部は、前記パネルの前記第一隅部に装着された左右一方の下固定部材と、前記パネルの左右他方の前記縦側面および下面が交わる第三隅部に装着された左右他方の下固定部材と、左右の前記下固定部材をそれぞれ支える左右の下支え部材とを有しており、
左右の前記下固定部材は、前記パネル下受け部における前記見付け片部をそれぞれ有しており、
左右一方の前記下固定部材は、前記パネル下受け部における前記下片部および前記側片部を更に有しており、
前記パネル上受け部は、前記パネルの前記第二隅部に装着された左右他方の上固定部材と、前記パネルの左右一方の縦側面および上面が交わる第四隅部に装着された左右一方の上固定部材と、左右の前記上固定部材をそれぞれ支える左右の上支え部材とを有しており、
左右の前記上固定部材は、前記パネル上受け部における前記見付け片部をそれぞれ有しており、
左右他方の前記上固定部材は、前記パネル上受け部における前記側片部を更に有している
ことを特徴とする断熱窓。
【請求項４】
請求項２または請求項３に記載の断熱窓において、
前記下固定部材の前記見付け片部、前記下片部および前記側片部と前記上固定部材の前記見付け片部および前記側片部とは、接着材によって前記パネルに接着されている
ことを特徴とする断熱窓。
【請求項５】
請求項２から請求項４のいずれか一項に記載の断熱窓において、
前記下固定部材は、その前記第一隅部および前記第三隅部に対応した位置からそれぞれ下方に突出した軸部を有しており、
前記上固定部材は、その前記第二隅部および前記第四隅部に対応した位置からそれぞれ上方に突出した軸部を有しており、
前記下支え部材および前記上支え部材は、前記各軸部が挿入された軸穴部を有しており、
前記第二隅部から前記第四隅部に対応した位置における前記各軸穴部の左右方向における寸法は、前記各軸部の径寸法よりも大きく、
前記第一隅部に対応した位置にある前記下支え部材の上面は、前記第三隅部に対応した位置にある前記下支え部材の上面よりも高い位置にある
ことを特徴とする断熱窓。
【請求項６】
上下の横枠および左右の縦枠と、前記上下の横枠および前記左右の縦枠によって形成された開口に配置された外窓および内窓とを備えており、
前記内窓は、請求項１から請求項５のいずれか一項に記載の断熱窓によって構成されている
ことを特徴とするカーテンウォール。
【請求項７】
請求項６に記載のカーテンウォールにおいて、
前記内窓は、請求項５に記載の断熱窓によって構成されており、
前記内窓のパネルの第二隅部に対応した位置にある上支え部材、および前記パネルの第三隅部に対応した位置にある下支え部材には、前記上支え部材および前記下支え部材の各軸穴部を室内側から塞ぐ蓋部材がそれぞれ取り付けられている
ことを特徴とするカーテンウォール。
【請求項８】
請求項７に記載のカーテンウォールにおいて、
前記内窓は、請求項３に記載の断熱窓における左右の上固定部材を有しており、
左右の前記上固定部材は連結材によって互いに連結されている
ことを特徴とするカーテンウォール。
【発明の詳細な説明】
【技術分野】
【０００１】
本発明は、二重窓タイプのカーテンウォールの内窓などに用いられる断熱窓およびカーテンウォールに関する。
【背景技術】
【０００２】
従来、アウター側の枠体およびその内側に配置されたアウターガラスを有したアウタースキンと、インナー側の枠体およびその内側に配置されたインナーガラス（パネル）を有したインナースキン（内窓）とを備えたカーテンウォールが知られている（特許文献１参照）。インナーガラスは、その周縁部が枠体に形成された凹溝に挿入されており、枠体との間にガスケット等の気密材が嵌め込まれている。
【先行技術文献】
【特許文献】
【０００３】
【特許文献１】特開２０１７−１１５５２０号公報
【発明の概要】
【発明が解決しようとする課題】
【０００４】
ところで、特許文献１に記載のカーテンウォールでは、パネルは、枠体の凹溝に挿入されて気密材が嵌め込まれることで枠体に支えられている。このため、枠体には、パネルの荷重を受けたり、地震時における層間変形に耐えたりするための剛性が必要とされる。
ここで、アルミ等の金属製縁材を枠体に採用する場合には、樹脂製や木製等の断熱材料によって形成される断熱縁材と比べて前記剛性を確保することが容易であるが、断熱縁材よりも熱伝導率が大きくなってしまう。一方、断熱縁材を枠体に採用する場合には、金属製縁材よりも熱伝導率が小さいので高い断熱性を発揮することができるが、金属製縁材よりも剛性が低いので、パネルの荷重や地震時の層間変形などによって断熱縁材に歪み変形が生じ、断熱縁材に支持されるパネルに影響が及ぶおそれがある。
【０００５】
本発明の目的は、パネルを断熱縁材に対して自立した構造として、断熱縁材の歪み変形等がパネルに影響を及ぼすおそれをなくすことができる断熱窓およびカーテンウォールを提供することにある。
【課題を解決するための手段】
【０００６】
本発明の断熱窓は、パネルと、前記パネルの下部に配置されたパネル下受け部と、前記パネルの上部に配置されたパネル上受け部とを有しており、前記パネル下受け部および前記パネル上受け部は、前記パネルの面外方向において前記パネルを受ける見付け片部を有しており、前記パネル下受け部は、前記パネルの左右一方の縦側面および下面が交わる第一隅部において当該パネルの下面を受ける下片部と、前記第一隅部において前記左右一方の縦側面を受ける側片部とを更に有しており、前記パネル上受け部は、前記パネルの左右他方の縦側面および上面が交わる第二隅部において前記左右他方の縦側面を受ける側片部を更に有しており、前記パネルの周縁部に沿って断熱縁材が配置されていることを特徴とする。
本発明の断熱窓によれば、パネル下受け部およびパネル上受け部の見付け片部によってパネルの面外方向への倒れを抑制することができ、パネル下受け部の下片部によってパネルの第一隅部で鉛直荷重を支えることができ、更に、パネル下受け部の側片部とパネル上受け部の側片部とによってパネルの面内水平方向への転びを抑制することができる。このようにパネル下受け部およびパネル上受け部によってパネルを受ける一方、断熱縁材はパネルの周縁部に沿って配置されるだけであるので、パネルを断熱縁材に対して自立した構造にできる。このため、仮に断熱縁材の剛性が低くパネルの荷重や地震等による層間変形などによって歪み変形等が生じてもパネルに影響が及ぶおそれをなくすことができる。
【０００７】
本発明の断熱窓では、前記パネル下受け部は、前記パネルの前記第一隅部から左右他方の前記縦側面および下面が交わる第三隅部まで延びた下固定部材と、前記第一隅部および前記第三隅部において前記下固定部材をそれぞれ支える左右の下支え部材とによって構成されており、前記下固定部材は、前記パネル下受け部における前記見付け片部、前記下片部および前記側片部を有しており、前記パネル上受け部は、前記パネルの前記第二隅部から左右一方の前記縦側面および上面が交わる第四隅部まで延びた上固定部材と、前記第二隅部および前記第四隅部において前記上固定部材をそれぞれ支える左右の上支え部材とによって構成されており、前記上固定部材は、前記パネル上受け部における前記見付け片部および前記側片部を有していることが好ましい。
このような構成によれば、例えば下固定部材がパネルの下縁部における左右の隅部に別個に装着される場合や、上固定部材がパネルの上縁部における左右の隅部に別個に装着される場合と比べて、部品点数を削減することができる。
【０００８】
本発明の断熱窓では、前記パネル下受け部は、前記パネルの前記第一隅部に装着された左右一方の下固定部材と、前記パネルの左右他方の前記縦側面および下面が交わる第三隅部に装着された左右他方の下固定部材と、左右の前記下固定部材をそれぞれ支える左右の下支え部材とを有しており、左右の前記下固定部材は、前記パネル下受け部における前記見付け片部をそれぞれ有しており、左右一方の前記下固定部材は、前記パネル下受け部における前記下片部および前記側片部を更に有しており、前記パネル上受け部は、前記パネルの前記第二隅部に装着された左右他方の上固定部材と、前記パネルの左右一方の縦側面および上面が交わる第四隅部に装着された左右一方の上固定部材と、左右の前記上固定部材をそれぞれ支える左右の上支え部材とを有しており、左右の前記上固定部材は、前記パネル上受け部における前記見付け片部をそれぞれ有しており、左右他方の前記上固定部材は、前記パネル上受け部における前記側片部を更に有していることが好ましい。
このような構成によれば、上固定部材や下固定部材がパネルの左右の隅部に連続して延びている場合と比べて、パネルに対する装着領域を小さくすることができ、各固定部材からパネルへ熱が伝わり難い構成にすることができる。
【０００９】
本発明の断熱窓では、前記下固定部材の前記見付け片部、前記下片部および前記側片部と前記上固定部材の前記見付け片部および前記側片部とは、接着材によって前記パネルに接着されていることが好ましい。
このような構成によれば、前述したように下固定部材および上固定部材が接着材によってパネルに接着されることで、固定部材がパネルにビス止めされる場合などと比べてパネルとの結合領域を大きくとることができ、パネルへの応力集中を緩和することができる。
【００１０】
本発明の断熱窓では、前記下固定部材は、その前記第一隅部および前記第三隅部に対応した位置からそれぞれ下方に突出した軸部を有しており、前記上固定部材は、その前記第二隅部および前記第四隅部に対応した位置からそれぞれ上方に突出した軸部を有しており、前記下支え部材および前記上支え部材は、前記各軸部が挿入された軸穴部を有しており、前記第二隅部から前記第四隅部に対応した位置における前記各軸穴部の左右方向における寸法は、前記各軸部の径寸法よりも大きく、前記第一隅部に対応した位置にある前記下支え部材の上面は、前記第三隅部に対応した位置にある前記下支え部材の上面よりも高い位置にあることが好ましい。
このような構成によれば、第一隅部に対応した位置にある下支え部材の上面に下固定部材を載置することで、パネルの面内方向において第三隅部が下方に向かうモーメントがパネルに生じるが、下固定部材の側片部によってパネルの左右一方の縦側面を受けると共に上固定部材の側片部によってパネルの左右他方の縦側面を受けることで、パネルをその自重を利用して安定して支えることができる。
また、第二隅部から第四隅部に対応した位置における各軸穴部の左右方向における寸法が各軸部の径寸法よりも大きいので、各軸穴部および各軸部間に左右方向の隙間が形成される。このため、地震等によって上支え部材および下支え部材間に左右方向の位置変化が生じても、パネルに影響が及ぶことを抑制することができる。
【００１１】
本発明のカーテンウォールは、上下の横枠および左右の縦枠と、前記上下の横枠および前記左右の縦枠によって形成された開口に配置された外窓および内窓とを備えており、前記内窓は、前述した本発明の断熱窓によって構成されていることを特徴とする。
本発明のカーテンウォールによれば、前述した本発明の断熱窓の作用効果を発揮可能なカーテンウォールを構成することができる。
【００１２】
本発明のカーテンウォールでは、前記内窓は、前述した本発明の断熱窓によって構成されており、前記パネルの第二隅部に対応した位置にある前記上支え部材、およびパネルの第三隅部に対応した位置にある前記下支え部材には、前記上支え部材および前記下支え部材の各軸穴部を室内側から塞ぐ蓋部材がそれぞれ取り付けられていることが好ましい。
このような構成によれば、蓋部材が取り付けられた状態ではパネルをパネル下受け部およびパネル上受け部によって受けることができる一方、蓋部材が取り外された状態では、第二隅部における上固定部材の軸部および第三隅部における下固定部材の軸部が各軸穴部から室内側に移動可能な状態となる。このため、パネルは、第一隅部および第四隅部においてパネル下受け部およびパネル上受け部に受けられた状態のまま室内側に開放移動することができ、外窓および内窓間の点検やメンテナンスなどを簡単に行うことができる。
【００１３】
本発明のカーテンウォールでは、前記内窓は、前述した本発明の断熱窓における左右の上固定部材を有しており、左右の前記上固定部材は連結材によって互いに連結されていることが好ましい。
このような構成によれば、内窓のパネルが点検やメンテナンスなどのために開かれた場合には、左右他方の上固定部材（戸先側の上固定部材）にパネルの面内水平方向の力が加わるが、連結材によって左右一方の上固定部材と連結されているので、パネルの面内水平方向の力を分散して受けることができる。
【発明の効果】
【００１４】
本発明によれば、パネルを断熱縁材に対して自立した構造として、断熱縁材の歪み変形等がパネルに影響を及ぼすおそれをなくすことができる断熱窓およびカーテンウォールを提供することができる。
【図面の簡単な説明】
【００１５】
【図１】本発明の実施形態に係るカーテンウォールを示す縦断面図。
【図２】前記実施形態に係るカーテンウォールの要部を示す斜視図。
【図３】前記実施形態に係るカーテンウォールの内窓の下部を示す縦断面図。
【図４】前記実施形態に係るカーテンウォールの内窓の上部を示す縦断面図。
【図５】前記実施形態に係るカーテンウォールにおける内窓のパネルを示す模式図。
【図６】前記実施形態に係るカーテンウォールにおける下支え部材および上支え部材を示す内観姿図。
【図７】図６に示すＶＩＩ−ＶＩＩ線断面図。
【図８】図６に示すＶＩＩＩ−ＶＩＩＩ線断面図。
【図９】本発明の変形例に係る内窓のパネルを示す模式図。
【発明を実施するための形態】
【００１６】
［本実施形態の構成］
以下、本発明の実施形態を図面に基づいて説明する。
図１において、本実施形態に係るカーテンウォール１は、建物の外壁面を構成するものであり、カーテンウォールユニット１０が上下左右に並設されることによって構成されている。各カーテンウォールユニット１０は、建物にファスナーを介して吊下げ支持されている。
図において、Ｘ，Ｙ，Ｚ軸方向は互いに直交する方向であり、Ｘ軸方向はカーテンウォール１の左右方向であり、Ｙ軸方向はカーテンウォール１の上下方向であり、Ｚ軸方向はカーテンウォール１の見込み方向である。
【００１７】
カーテンウォールユニット１０は、図１〜図４に示すように、上枠１２（横枠）、下枠１３（横枠）、無目１４（中枠）および左右の縦枠１５を有した枠体１１と、下枠１３、無目１４および左右の縦枠１５によって形成された窓部２に配置されたパネル２０，３０と、上枠１２、無目１４および左右の縦枠１５によって形成されたスパンドレル部４に配置されたパネル８１および耐火ボード８２とを備えている。無目１４は、二つの枠形材が上下に隣接配置されて構成されている。パネル８１は単層のガラスパネルによって構成されている。
パネル２０は、複層の矩形状のガラスパネルによって構成されており、この複層のガラスパネル間にはブラインドが配置されている。このパネル２０は、周縁部が枠体１１にガスケット等を介して保持されることによって外窓２１を構成している。
パネル３０は、周縁部にスペーサ３２が介在された複層の矩形状のガラスパネル３３，３４によって構成されている。このパネル３０は、その下部に配置されたパネル下受け部４０（図３，５参照）と、その上部に配置されたパネル上受け部５０（図４，５参照）と、その周縁部に沿って配置された木製の断熱縁材７１〜７３（図２〜図４参照）とによって断熱窓としての内窓３１を構成している。
【００１８】
パネル下受け部４０は、パネル３０の下縁部に沿って延びた金属製の下固定部材４１（図２，３，５参照）と、下固定部材４１のＸ軸方向における両端部を支える左右の下支え部材４６，４７（図６，７参照）とによって構成されている。
下固定部材４１は、図３，５に示すように、Ｚ軸方向においてガラスパネル３３の室外面に対向した見付け片部４２と、Ｚ軸方向においてガラスパネル３４の室内面に対向した見付け片部４３と、見付け片部４２，４３の下縁に連続した下片部４４とを有して断面略コ字状に形成されている。この下固定部材４１は構造接着構法（シリコーン・ストラクチュアル・グレージング、ＳＳＧ）によってパネル３０の下縁部に接着固定されている。具体的には、見付け片部４２，４３がパネル３０の室外面および室内面に構造シリコーンシーラントによって接着されていると共に、下片部４４がパネル３０の下面に構造シリコーンシーラントによって接着されている。また、下固定部材４１には、その左右一方の端縁から上方に立ち上げられた側片部４５（図５参照）を有している。この側片部４５は、構造シリコーンシーラントによってパネル３０の左右一方の縦側面３５に接着されている。
前述したようにパネル３０の下縁部に接着固定された下固定部材４１は、図５に示すように、パネル３０の縦側面３５および下面が交わる第一隅部３０Ａにおいて当該パネル３０の室外面、室内面、下面および縦側面３５を受けており、パネル３０の左右他方の縦側面３６および下面が交わる第三隅部３０Ｃにおいて当該パネル３０の室外面、室内面および下面を受けている。更に、下固定部材４１の左右両端部には、下片部４４から下方に突出した軸部６０がそれぞれ設けられている。
【００１９】
下支え部材４６は、第一隅部３０Ａの下方に配置されており、下支え部材４７は第三隅部３０Ｃの下方に配置されている。下支え部材４６，４７は、建物躯体側に止められたブラケット等にネジ止めされた本体部材６１と、本体部材６１に取り外し可能にネジ止めされた蓋部材６２とによってブロック状に形成されている。下支え部材４６，４７には、それぞれの上面で開口した軸穴部６３，６４が形成されている。これら軸穴部６３，６４は蓋部材６２の取り外しによって室内側に開放される構成とされており、開放状態では、軸穴部６３，６４に挿入された軸部６０は室内側に移動可能となる。軸穴部６３，６４は平面視円形状に形成されており、前述した軸部６０がそれぞれ挿入されている。下支え部材４６の軸穴部６３の径寸法は、軸部６０の径寸法とほぼ等しくなっている。下支え部材４７の軸穴部６４の径寸法は、軸部６０の径寸法よりも大きく形成されており、軸部６０との間に左右方向（面内水平方向）および面外方向の隙間が形成されている。下支え部材４６の上下寸法は下支え部材４７の上下寸法よりも大きくされており、下支え部材４６の上面は、下支え部材４７の上面よりも高い位置にある（図２参照）。下支え部材４６には、下固定部材４１が載置されている。また、下支え部材４７の軸穴部６４に挿入された軸部６０には、高さ調整ナット６５が螺合しており、高さ調整ナット６５の回転により下支え部材４７に対する第三隅部３０Ｃの高さ位置を調整可能である。
【００２０】
パネル上受け部５０は、パネル３０の上縁部に沿って延びた金属製の上固定部材５１（図４，５参照）と、上固定部材５１のＸ軸方向における両端部を支える左右の上支え部材５６，５７（図６，８参照）とによって構成されている。
上固定部材５１は、図４，５に示すように、Ｚ軸方向においてガラスパネル３３の室外面に対向した見付け片部５２と、Ｚ軸方向においてガラスパネル３４の室内面に対向した見付け片部５３と、見付け片部５２，５３の下縁に連続した上片部５４とを有して断面略コ字状に形成されている。この上固定部材５１は構造接着工法によってパネル３０の上縁部に接着固定されている。具体的には、見付け片部５２，５３がパネル３０の室外面および室内面に構造シリコーンシーラントによって接着されていると共に、上片部５４がパネル３０の上面に構造シリコーンシーラントによって接着されている。また、上固定部材５１には、その左右他方の端縁から下方に垂下した側片部５５（図５参照）を有している。この側片部５５は、構造シリコーンシーラントによってパネル３０の左右他方の縦側面３６に接着されている。
前述したようにパネル３０の上縁部に接着固定された上固定部材５１は、図５に示すように、パネル３０の縦側面３６および上面が交わる第二隅部３０Ｂにおいて当該パネル３０の室外面、室内面、上面および縦側面３６を受けており、パネル３０の縦側面３５および上面が交わる第四隅部３０Ｄにおいて当該パネル３０の室外面、室内面および上面を受けている。第二隅部３０Ｂは第一隅部３０Ａに対して対角線上に位置している。更に、上固定部材５１の左右両端部には、上片部５４から上方に突出した軸部６０がそれぞれ設けられている。
【００２１】
上支え部材５６は、第四隅部３０Ｄの上方に配置されており、上支え部材５７は第二隅部３０Ｂの上方に配置されている。上支え部材５６，５７は、前述した下支え部材４７と概略同様にそれぞれ構成されているが、軸穴部６４に代えて平面視矩形状の軸穴部６６を有している。各軸穴部６６の左右寸法は各軸部６０の径寸法よりも大きくされており、軸穴部６６と軸部６０との間に左右方向の隙間が形成されている。なお、上支え部材５６の軸穴部６６と軸部６０との間にはスペーサ６７（図８参照）が設置されている。
【００２２】
断熱縁材７１は、パネル３０の下縁部に沿って配置された下縁材であり、断熱縁材７２は、パネル３０の上縁部に沿って配置された上縁材であり、断熱縁材７３は、パネル３０の左右の縦縁部に沿って配置された縦縁材である。これらの断熱縁材７１〜７３は、室外縁材７５と、室内縁材７６とによってそれぞれ構成されている。
室外縁材７５は、枠体１１にネジ止めされており、パネル３０の室外面に当接する気密材が装着されている。上下の室内縁材７６は、上固定部材５１および下固定部材４１にブラケットを介して取り付けられていると共に構造シリコーンシーラントによってパネル３０の室内面に接着されている。左右の室内縁材７６は構造シリコーンシーラントによってパネル３０の室内面に接着されている。
【００２３】
［本実施形態の効果］
（１）前記実施形態では、内窓３１におけるパネル下受け部４０の見付け片部４２，４３およびパネル上受け部５０の見付け片部５２，５３によってパネル３０の面外方向への倒れを抑制することができ、パネル下受け部４０の下片部４４によってパネル３０の第一隅部３０Ａで鉛直荷重を支えることができ、更に、パネル下受け部４０の側片部４５とパネル上受け部５０の側片部５５とによってパネル３０の面内水平方向への転びを抑制することができる。このようにパネル下受け部４０およびパネル上受け部５０によってパネル３０を受ける一方、断熱縁材７１〜７３はパネル３０の周縁部に沿って配置されるだけであるので、パネル３０を断熱縁材７１〜７３に対して自立した構造にできる。このため、仮に断熱縁材７１〜７３の剛性が低くパネル３０の荷重や地震等による層間変形などによって歪み変形等が生じてもパネル３０に影響が及ぶおそれをなくすことができる。
（２）下固定部材４１が、パネル３０の第一隅部３０Ａから第三隅部３０Ｃまで延びており、上固定部材５１がパネル３０の第二隅部３０Ｂから第四隅部３０Ｄまで延びているので、例えばパネル３０の第一隅部３０Ａおよび第三隅部３０Ｃに下固定部材が別個に装着される場合や、パネル３０の第二隅部３０Ｂおよび第四隅部３０Ｄに上固定部材が別個に装着される場合と比べて、部品点数を削減することができる。
（３）下固定部材４１および上固定部材５１が接着材である構造シリコーンシーラントによってパネル３０に接着されることで、ビス止めされる場合などと比べてパネル３０との結合領域を大きくとることができ、パネル３０への応力集中を緩和することができる。
（４）第一隅部３０Ａに対応した位置にある下支え部材４６の上面に下固定部材４１を載置することで、パネル３０の面内方向において第三隅部３０Ｃが下方に向かうモーメントがパネル３０に生じるが、下固定部材４１の側片部４５によってパネル３０の縦側面３５を受けると共に上固定部材５１の側片部５５によってパネル３０の縦側面３６を受けることで、パネル３０をその自重を利用して安定して支えることができる。
また、第二隅部３０Ｂから第四隅部３０Ｄに対応した位置における各軸穴部６４，６６の左右方向における寸法が各軸部６０の径寸法よりも大きいので、各軸穴部６４，６６および各軸部６０間に左右方向の隙間が形成される。このため、地震等によって上支え部材５６，５７および下支え部材４６，４７間に左右方向の位置変化が生じても、パネル３０に影響が及ぶことを抑制することができる。
（５）第二隅部３０Ｂに対応した位置における上支え部材５７の蓋部材６２と、第三隅部３０Ｃに対応した位置における下支え部材４７の蓋部材６２とを取り外すことで、第二隅部３０Ｂにおける上固定部材５１の軸部６０および第三隅部３０Ｃにおける下固定部材４１の軸部６０が軸穴部６４，６６から室内側に抜け出して移動可能な状態となる。このため、第一隅部３０Ａおよび第四隅部３０Ｄがあるパネル３０の吊元側で上下の軸部６０を下支え部材４６および上支え部材５６に支えた状態でパネル３０を室内側に開放移動することができる。このように内窓３１のパネル３０が内開き可能であるので、外窓２１および内窓３１間の点検やメンテナンスなどを簡単に行うことができる。
【００２４】
［変形例］
本発明は、以上の実施形態で説明した構成のものに限定されず、本発明の目的を達成できる範囲での変形例は、本発明に含まれる。
例えば、前記実施形態では、下固定部材４１および上固定部材５１がパネル３０の左右両端部に亘って連続して形成されているが、下固定部材４１および上固定部材５１の一方または双方がパネル３０の左右両端部に別個に装着された下固定部材や上固定部材を備えていてもよい。
例えば図９に示すように、パネル下受け部４０は、下固定部材４１に代えて、パネル３０の第一隅部３０Ａに装着された左右一方の下固定部材９１と、第三隅部３０Ｃに装着された左右他方の下固定部材９２とを備えており、パネル上受け部５０は、上固定部材５１に代えて、パネル３０の第二隅部３０Ｂに装着された左右他方の上固定部材９３と、第四隅部３０Ｄに装着された左右一方の上固定部材９４とを備えていてもよい。下固定部材９１，９２は互いに同様に形成されており、パネル３０の室外面および室内面を受ける一対の見付け片部９５と、パネル３０の下面を受ける下片部９６と、パネル３０の縦側面３５，３６を受ける側片部１０７とを有しており、これら各片部は構造シリコーンシーラントによってパネル３０に接着されている。また、上固定部材９３，９４は互いに同様に形成されており、パネル３０の室外面および室内面を受ける一対の見付け片部１０５と、パネル３０の上面を受ける上片部１０６と、パネル３０の縦側面３５，３６を受ける側片部１０７とを有しており、これら各片部は構造シリコーンシーラントによってパネル３０に接着されている。更に、上固定部材９３，９４の上片部１０６同士は、連結材１００（テンション材）によって連結されている。なお、第三隅部３０Ｃにある下固定部材９２では側片部９７の構成が省略されてもよく、第四隅部３０Ｄにある上固定部材９４では側片部１０７の構成が省略されていてもよい。
このような構成によれば、下固定部材４１や上固定部材５１と比べて、パネル３０に対する装着領域を小さくすることができ、各固定部材からパネル３０へ熱が伝わり難い構成にすることができる。
また、内窓３１のパネル３０が点検やメンテナンスなどのために開かれた場合には、戸先側の上固定部材９３にパネル３０の面内水平方向の力が加わるが、連結材１００によって吊元側の上固定部材９４と連結されているので、パネル３０の面内水平方向の力を分散して受けることができる。なお、連結材１００がなくてもパネル３０の開き状態で当該パネル３０を支持可能な構成である場合には、連結材１００の構成を省略してもよい。
【００２５】
前記実施形態では、下固定部材４１，９１，９２や上固定部材５１，９３，９４は構造シリコーンシーラントによってパネル３０に接着されているが、ビス止め等によってパネル３０に固定されていてもよい。
前記実施形態では、パネル３０の鉛直荷重を支える下支え部材４６の上面は下支え部材４７の上面よりも高い位置にあるが、下支え部材４６にスペーサなどを配置して高さ調整が可能である場合には、下支え部材４７と同じまたは低い高さ位置であってもよい。
前記実施形態では、断熱縁材７１〜７３は木製であるが、金属製縁材よりも断熱性が高い断熱材料であればよく、樹脂製等であってもよい。
前記実施形態では、パネル３０は複層のガラスパネル３３，３４を備えているが、パネル３０において断熱性が要求されない場合には、単層のガラスパネルを備えていてもよい。この場合、下固定部材４１、９１，９２や上固定部材５１，９３，９４は、一対の見付け片部を有さずに、パネル３０の室外面および室内面のうちの片側を受ける見付け片部だけを有して構造シリコーンシーラントによってパネル３０に接着してもよい。
前記実施形態では、カーテンウォールユニット１０が並設されたユニット方式のカーテンウォール１を説明したが、ノックダウン式のカーテンウォールであってもよい。また、断熱窓である内窓３１としてカーテンウォール１に適用したが、この断熱窓自体を各種の窓としてもよい。
【符号の説明】
【００２６】
１…カーテンウォール、１００…連結材、１１…枠体、１２…上枠、１３…下枠、１４…無目、１５…縦枠、２…窓部、２１…外窓、２０，３０，８１…パネル、３０Ａ…第一隅部、３０Ｂ…第二隅部、３０Ｃ…第三隅部、３０Ｄ…第四隅部、３１…内窓、３３，３４…ガラスパネル、３５，３６…縦側面、４０…パネル下受け部、４１，９１，９２…下固定部材、４２，４３，５２，５３，９５，１０５…見付け片部、４４，９６…下片部、４５，５５，９７，１０７…側片部、４６，４７…下支え部材、５０…パネル上受け部、５１，９３，９４…上固定部材、５６，５７…上支え部材、６０…軸部、６１…本体部材、６２…蓋部材、６３，６４，６６…軸穴部、７１〜７３…断熱縁材。
【図１】
2019044337.tif 000003
【図２】
2019044337.tif 000004
【図３】
2019044337.tif 000005
【図４】
2019044337.tif 000006
【図５】
2019044337.tif 000007
【図６】
2019044337.tif 000008
【図７】
2019044337.tif 000009
【図８】
2019044337.tif 000010
【図９】
2019044337.tif 000011